(57)【要約】【課題】被挟持物を凹部内の所定個所から取り出すことが円滑に行えるピンセットを提供すること。【解決手段】所定長さ延在した第１延在部１１１を有し、その先端部には第１延在部１１１に対して垂直に延在した薄肉な第１挟持片１１２が形成された第１支持部材１１と、後端部が第１延在部１１１の後端部に連結され所定長さ延在した第２延在部１２１を有し、その先端部には第１挟持片１１２の延在方向と同一方向に延びる第２挟持片１２２が形成され、第２挟持片１２２は第１挟持片１１２に近接した位置に配設された第２支持部材１２とからなるピンセット１であって、第２支持部材１２は前記後端部を軸に回動可能であり、第２支持部材１２を回動させることにより、固定された第１挟持片１１２に第２挟持片１２２を移動させて被挟持物を前記凹部の上方から挟持する。【選択図】図１
2008178949.tif 000002
【特許請求の範囲】
【請求項１】
所定長さ延在した第１延在部を有し、その先端部には該第１延在部に対して垂直に延在した薄肉な第１挟持片が形成された第１支持部材と、
後端部が前記第１延在部の後端部に連結され所定長さ延在した第２延在部を有し、その先端部には前記第１挟持片の延在方向と同一方向に延びる第２挟持片が形成され、該第２挟持片は前記第１挟持片に近接した位置に配設された第２支持部材と、
からなるピンセットであって、
前記第２支持部材は前記後端部を軸に回動可能であり、前記第２支持部材を回動させ、前記第２挟持片を前記第１挟持片に近接する方向に移動させることにより、該第１、第２挟持片間の被挟持物を挟持することを特徴とするピンセット。
【請求項２】
前記第１、第２支持部材は樹脂材により一体形成されていることを特徴とする請求項１に記載のピンセット。
【請求項３】
前記第１延在部は後端部から先端部に向かって二股に分岐された分岐延在部を備え、該分岐された分岐延在部の間に前記第２延在部が配設されていることを特徴とする請求項１又は２に記載のピンセット。
【請求項４】
前記第１挟持片の延在方向とは反対側の端部には押圧片が突出形成されていることを特徴とする請求項１に記載のピンセット。
【請求項５】
前記第２挟持片の先端部には、前記第１挟持片側に突出した鉤部が形成されていることを特徴とする請求項１に記載のピンセット。
【請求項６】
前記被挟持物は薄肉なカード状部材であり、該カード状部材の肉厚に合わせて前記第１挟持片と第２挟持片との間の距離が設定されていることを特徴とする請求項１〜５の何れかに記載のピンセット。
【発明の詳細な説明】
【技術分野】
【０００１】
本発明は、被挟持物を挟持するためのピンセットに係り、特に被挟持物が扁平な形状でありその扁平な面に平行に移動して装着部に装着されるものであって、該装着部への取り付け操作、および装着部からの取り出し操作を該被挟持物の扁平な面に対し垂直方向から行うために用いられるピンセットに関する。
【背景技術】
【０００２】
ピンセットは小さな被挟持物を挟持して取り扱うために用いられている。しかし、被挟持物が凹部内にある場合には、通常のピンセットではその取り扱いが容易でない。
【０００３】
そこで、従来は、例えば下記の特許文献１で示すように、ピンセットの本体を形成する上側板と下側板の先端を折り曲げたものが提案されている。このように先端を折り曲げたピンセットは、シリコンウエーハのように扁平な被挟持物を把持して凹部内に収容し、また、凹部に収容された被挟持物を取り出すことができるが、このようにピンセットの先端が折り曲げられていることにより、シリコンウエーハの扁平な面に対して垂直な方向からの作業が容易となるので、凹部の上方からシリコンウエーハの取り扱いを行う作業に適する。
【０００４】
ところで、近時は被挟持物が小型化するに伴ってこれを収容する凹部が狭く複雑になっている機器が多く用いられている。例えば下記の特許文献２で示すように、凹部の側面にＩＣカードスロットを設けＩＣカードスロットにＩＣカードを挿入して用いる携帯電話機がある。携帯電話機は小型化を図るため、厚みを薄くするだけでなく、取り外す頻度の少ないＩＣカードスロットを電池収納部と並置させている。そして、凹部である電池収納部の側面にＩＣカードスロットの挿入口を設け、この挿入口からＩＣカードをスロット内に挿入し、また、スロット内のＩＣカードを取り出せるようにしている。
【特許文献１】特開２００３−２５８０７５号公報（段落［００１３］、［００１４］、図３）
【特許文献２】特開２００３−４４７９３号公報（段落［００１７］、［００１８］、図４）
【発明の開示】
【発明が解決しようとする課題】
【０００５】
上述した従来技術においては、例えば上記特許文献２で示すように、携帯電話機に設けられた凹部である電池収納部内を介してＩＣカードスロットに被狭持物であるＩＣカードの挿抜を行う場合、直接手指で作業を行うことが困難なために上記特許文献１で示すピンセットを用いることが考えられる。しかし、この場合、上記特許文献１で開示されたピンセットを用いても狭い凹部内で被挟持物を確実に挟持することが困難であり、被挟持物を凹部内の所定個所に装着したり取り出したりすることが円滑に行えなかった。
【０００６】
そこで、本発明は、上述したような従来の問題点を解消するためになされたものであって、即ち、本発明の目的は、狭い凹部内においても被挟持物を確実に狭持し、被狭持物を所定箇所に装着したり取り出したりする作業を容易に行うことのできるピンセットを提供することである。
【０００７】
特に、本発明の目的は、被狭持物が、扁平状の形状であって、その平行な面に平行に移動させることによって狭い凹部内から所定の装着箇所に装着されるものであり、この装着箇所への取り付け操作および装着箇所からの取り外し操作を、被狭持物の扁平な面に対して垂直方向から容易に行うことのできるピンセットを提供することである。
【課題を解決するための手段】
【０００８】
前記課題を解決するために、本願の請求項１に係る発明は、所定長さ延在した第１延在部を有し、その先端部には該第１延在部に対して垂直に延在した薄肉な第１挟持片が形成された第１支持部材と、
後端部が前記第１延在部の後端部に連結され所定長さ延在した第２延在部を有し、その先端部には前記第１挟持片の延在方向と同一方向に延びる第２挟持片が形成され、該第２挟持片は前記第１挟持片に近接した位置に配設された第２支持部材と、
からなるピンセットであって、
前記第２支持部材は前記後端部を軸に回動可能であり、前記第２支持部材を回動させ、前記第２挟持片を前記第１挟持片に近接する方向に移動させることにより、該第１、第２挟持片間の被挟持物を挟持することを特徴とする。
【０００９】
また、本願の請求項２に係る発明においては、請求項１に記載のピンセットにおいて、前記第１、第２支持部材は樹脂材により一体形成されていることを特徴とする。
【００１０】
また、本願の請求項３に係る発明においては、請求項１又は２に記載のピンセットにおいて、前記第１延在部は後端部から先端部に向かって二股に分岐された分岐延在部を備え、該分岐された分岐延在部の間に前記第２延在部が配設されていることを特徴とする。
【００１１】
また、本願の請求項４に係る発明においては、請求項１に記載のピンセットにおいて、前記第１挟持片の延在方向とは反対側の端部には押圧片が突出形成されていることを特徴とする。
【００１２】
また、本願の請求項５に係る発明においては、請求項１に記載のピンセットにおいて、前記第２挟持片の先端部には、前記第１挟持片側に突出した鉤部が形成されていることを特徴とする。
【００１３】
また、本願の請求項６に係る発明においては、項１〜５の何れかに記載のピンセットにおいて、前記被挟持物は薄肉なカード状部材であり、該カード状部材の肉厚に合わせて前記第１挟持片と第２挟持片との間の距離が設定されていることを特徴とする。
【発明の効果】
【００１４】
本発明は上記構成を備えることにより、以下に示すような優れた効果を奏する。すなわち、請求項１の発明によれば、前記ピンセットの前記第１挟持片は前記第１延在部に対して垂直に延在して形成され、前記第２挟持片は前記第２延在部に対して垂直に延在して形成されている。そして、前記第１挟持片は肉薄であり、この肉薄な第１挟持片を静止させた状態で前記第２支持部材を回動させることによって前記第２挟持片を該第１挟持片に接近させるので、被挟持物を確実に挟持し、狭い凹部に設けられた装着部からの被狭持物の取り出し操作を凹部上方から確実に行うことができる。
【００１５】
また、請求項２の発明によれば、前記第１支持部材と前記第２支持部材とは、樹脂材により一体形成されているので、外部から過大な電流を前記被挟持物に流入させてしまいこれを破損させてしまうことがない。
【００１６】
また、請求項３の発明によれば、前記第１支持部材は、その第１延在部が二股に分岐されて分岐延在部を形成し、この分岐延在部の間に前記第２延在部が配置されているので、前記第１挟持片と前記第２挟持片とを対向させて位置させ確実に被狭持物の挟持状態を確保できる。また、前記第１延在部は先端で前記第１挟持片によって連結されているので、曲げ応力に対して強固なものとなりピンセットの操作を安定して行うことができる。
【００１７】
また、請求項４の発明によれば、前記第１挟持片には、その延在方向と反対側の端部に前記押圧片が突出して設けられているので、この押圧片によって前記装着部に装着されている前記被挟持物の端面を押すことができる。そのため、前記被挟持物が前記装着装置においてワンプッシュ・ロック、ツープッシュ・ロック解除の保持機構で保持されている場合は、そのロック解除が前記押圧片を用いて容易に行うことができる。
【００１８】
また、請求項５の発明によれば、前記第２挟持片には、前記第１挟持片側に突出した前記鉤部が形成されているので、挟持動作の際に前記鉤部を前記被挟持物の前記係合段部に係合させるとともに該被挟持物が前記装着部から引き出されるように前記第２支持部材を移動させる。そのため、前記第２支持部材の回動操作だけによって前記被挟持物を挟持させると同時に、被挟持物を前記装着部から確実に引き出すことができる。
【００１９】
また、請求項６の発明によれば、被挟持物としてカード状部材を用いたときに、前記第１挟持片と前記第２挟持片とが接近した状態において、その間の距離が前記カード状部材の肉厚に合わせて設定されるので、該カード状部材の挟持状態が確実に確保できる。
【発明を実施するための最良の形態】
【００２０】
以下、図面を参照して本発明の最良の実施形態を説明する。但し、以下に示す実施形態は、本発明の技術思想を具体化するためのピンセットを例示するものであって、本発明をこのピンセットに特定することを意図するものではなく、特許請求の範囲に含まれるその他の実施形態のものも等しく適応し得るものである。
【実施例】
【００２１】
図１は本発明の実施形態に係るピンセットの定常状態を示す斜視図、図２は図１におけるピンセットにおいて第２支持部を回動させた状態を示す斜視図、図３は本発明の実施形態におけるピンセットが適用される携帯電話機の電池収納部およびＩＣカード装着部を有する部分を裏側を上にして上方から見た場合の正面図、図４は本発明の実施形態におけるピンセットが適用されるＩＣカードを示す正面図、図５は本発明の実施形態におけるピンセットを携帯電話機の凹部内に挿入し、ＩＣカードを挟持しようとする状態を、図３と同様に見た場合の正面図、図６は図５のＸ−Ｘ線断面図、図７は本発明の実施形態におけるピンセットでもって携帯電話機の凹部内のＩＣカードを挟持した状態を、図３と同様にみた場合の正面図、図８は図７のＹ−Ｙ線断面図、図９は本発明の実施形態におけるピンセットでもって携帯電話機の凹部内のＩＣカードを挟持した状態を示す斜視図である。
【００２２】
ピンセット１は、図１に示すように、全体的に第１支持部材１１と、第２支持部材１２とからなり、樹脂材により一体形成されている。第１支持部材１１と第２支持部材１２とは、例えば、ガラス繊維を混入した樹脂を用いることにより薄くても強固なものとして形成できる。
【００２３】
第１支持部材１１は、所定長さ延在した第１延在部１１１と、第１延在部１１１の先端部に設けた第１挟持片１１２とからなる。ここで、第１延在部１１１は後端部から先端部にかけて間隔をおいて二股に分岐された一対の分岐延在部１１３から構成されている。また、分岐延在部１１３は先端部において第１挟持片１１２によって連結されている。そして、第１挟持片１１２は、第１延在部１１１に対して垂直に延在し、薄肉の平板状の片材として形成される。
【００２４】
第２支持部材１２は、第１延在部１１１の後端部に回動可能に連結されるとともに一対の分岐延在部１１３の間に所定長さ延在した第２延在部１２１と、第２延在部１２１の先端部に設けた第２挟持片１２２とからなる。ここで、第２挟持片１２２は、第２延在部１２１に対して垂直に延在し、第１挟持片１１２と同一方向に延びるように形成されている。
【００２５】
また、第２支持部材１２は、第１支持部材１１から常時所定角度だけ回動した位置をとるように付勢され、弾性的に変位されている。そして、図２で示すように、第２支持部材１２を付勢力に逆らって回動させると、第２挟持片１２２が第１挟持片１１２に近接する位置に移動する。この第１挟持片１１２と第２挟持片１２２との間の距離は、後述する挟持物であるＩＣカード３の肉厚の値に基いて設定される。
【００２６】
第１挟持片１１２の延在方向とは反対側の端部には、押圧片１１４が突出して形成されている。
【００２７】
第２挟持片１２２の先端部には、第１挟持片１１２に向かって突出した鉤部１２３が形成されている。
【００２８】
図３、図４はピンセット１により挟持される挟持物が携帯電話機のＩＣカード３である場合を例とした携帯電話機（図３）とＩＣカード３（図４）の構成を示す。
【００２９】
本実施例の携帯電話機は二つ折り構造の筐体から構成されるもので、一方の筐体には画面が配置され、もう一方の筐体には数字キーなどの入力操作部および二次電池を収容するための電池収容部が設けられる。２は電池収納部が設けられるほうの筐体を示し、その入力操作部が設けられているのと反対側の面には電池収納部２１とＩＣカード装着部２２とが並置されている。電池収納部２１は、四角形の電池を収納するために、携帯電話機の筐体の入力操作部が設けられているのと反対側の面から上方にくぼむように形成された四角形の凹部になっている。この電池収納部２１の側面にはＩＣカード装着部２２に連通するＩＣカード挿入口２３が形成されている。
【００３０】
尚、ＩＣカード３を携帯電話機に装着する場合、携帯電話の上下を逆さまにし、電池収容部２１から電池を取り外して操作を行うので、以下の説明において、「上」とは携帯電話機を上下逆さまにした場合に上側にくることを意味し、実際には携帯電話機の底側の方向を示す。同様に、「下」とは携帯電話機を上下逆さまにして取り扱う場合に下側にくることを指し、実際には携帯電話機の入力操作部が設けられている方向を意味する。
【００３１】
ＩＣカード３は、ＩＣカード挿入口２３から電池収納部２１の底面に平行かつ矢印Ａで示す方向に移動させてＩＣカード装着部２２に装着させるようになっている。また、ＩＣカード３の上面端部には係合段部３１が形成されている。
【００３２】
ＩＣカード装着部２２には、挿入されたＩＣカード３を保持する機構（図示せず）が設けられている。この保持機構は、ＩＣカード３が電池収納部２１からＩＣカード挿入口２３を介してＩＣカード装着部２２内に押し込まれると、ＩＣカード３をＩＣカード装着部２２内に保持し、保持された状態でＩＣカード３を再びＩＣカード装着部２２の奥へ押し込む操作が行われると、保持状態が解除されてＩＣカードをＩＣカード挿入口２３から若干突出させるように作動するものである。所謂、ワンプッシュ・ロック、ツープッシュ・ロック解除の機構である。
【００３３】
ＩＣカード挿入口２３の上側には、切欠き２４が形成され、ＩＣカード装着部２２に装着されたＩＣカード３の一部が露出する。
【００３４】
次に、上述した構成のピンセット１を用いてＩＣカード３を携帯電話機のＩＣカード装着部２２に着脱する動作について説明する。
【００３５】
最初に、ＩＣカード３がＩＣカード装着部２２に装着されており、この状態からＩＣカード３を取出す場合について説明する。まず、電池収納部２１から電池を取り出し、ＩＣカード挿入口２３を露出させる。使用者はピンセット１を持ち、押圧片１１４がＩＣカード３の端に当るようにピンセット１の向きを変える。そして、使用者は、押圧片１１４がＩＣカード３の端を矢印Ａの方向に押圧するようにピンセット１を操作し、保持機構によるＩＣカード３の保持状態を解除する。これによりＩＣカード３はＩＣカード挿入口２３から若干突出する。
【００３６】
次いで、使用者は、図５、図６で示すように、第１狭持片１１２と第２狭持片１２２とがＩＣカード３の方を向くようにピンセット１の向きを元に戻し、更に第１挟持片１１２と第２挟持片１２２との間にＩＣカード３が位置するように、ピンセット１を操作する。そして、使用者は指で第２支持部材１２を矢印Ｂで示すように第１支持部材１１の方向に回動させる。
【００３７】
第２挟持片１２２の回動によって、図７、図８及び図９で示すように、第２挟持片１２２が第１挟持片１１２に接近してＩＣカード３が挟持される。同時に、第２挟持片１２２に設けられた鉤部１２３がＩＣカード３の係合段部３１に係合しＩＣカード３をＩＣカード挿入口２３から引き出す用意が整う。
【００３８】
その後、使用者はピンセット１を矢印Ｃで示す方向に移動させてＩＣカード３をＩＣカード装着部２２から取り出す。そして、使用者はピンセット１を筐体２上方に移動させ、挟持されたＩＣカード３を電池収納部２１内から取り出す。
【００３９】
このようにして、使用者はピンセット１を用いることによってＩＣカード３を携帯電話機のＩＣカード装着部２２から取り出すことができる。
【００４０】
ＩＣカード３をＩＣカード装着部２２に装着する場合は、電池収納部２１から電池が取り出された状態で、使用者がＩＣカード３を直接手に持ってＩＣカード挿入口２３からＩＣカード装着部２２に挿入し押し込むことによって行う。ＩＣカード３を一回押し込むと、ＩＣカード３は保持機構によってＩＣカード装着部２２内部にロックされ、ＩＣカード装着部２２への装着を完了する。
【００４１】
ＩＣカード３の装着を直接手によって行うことが困難な場合は、ピンセット１を使用しＩＣカード３を挟持することによってＩＣカードの装着を行う。この操作は、前述したように、第1狭持片１１２と第２狭持片１２２の間にＩＣカード３を間に介在させた状態で、使用者が指でもって第２支持部材１２を第１支持部材１１の方向に回動させ、第２挟持片１２２を第１挟持片１１２に近接させＩＣカード３を挟持する。この状態で、使用者は、ＩＣカード３を電池収納部２１内に持って行き、ＩＣカード３をＩＣカード挿入口２３に挿入し、ＩＣカード装着部２２に押し込む。このようにして、使用者はピンセット１を用いてＩＣカード３のＩＣカード装着部２２への装着を行うことができる。
【００４２】
上述した本発明の実施形態によれば、ピンセット１の第１挟持片１１２は第１延在部１１１に対して垂直かつ肉薄に形成され、第２挟持片１２２は第２延在部１２１に対して垂直に延在して形成されている。そして、使用時に、この第１挟持片１１２は移動させないでＩＣカード３の下面において静止させた状態にしておき、第２支持部材１２を回動させることによって第２挟持片１２２を第１挟持片１１２に接近させるので、被挟持物であるＩＣカード３を確実に挟持できる。これによって、特に、狭い凹部である電池収納部２１に連通したＩＣカード装着部２２からＩＣカード３を取り出す操作を、電池収納部２１上方から容易に行うことができるようになる。
【００４３】
また、第１支持部材１１と第２支持部材１２とが樹脂材により一体形成されていることによって、外部からＩＣカード３に過大な電流が流入し記録データを破損させてしまうことがない。これは、微弱なノイズ電流によって容易に破損するＩＣカード３の扱いを行いやすくすることに貢献する。
【００４４】
また、第１支持部材１１は、その第１延在部１１１が二股に分岐されているが、先端で第１挟持片１１２によって連結されているので、使用者が握ることによって発生する曲げ応力によってゆがむことがない。従って、ピンセット１の操作を安定して行うことができる。
【００４５】
また、第１挟持片１１２には、その延在方向と反対側の端部に押圧片１１４が突出して設けられており、この押圧片１１４によってＩＣカード装着部２２に装着されているＩＣカード３の端面を押すことができる。これによって、ＩＣカード３がＩＣカード装着部２２にワンプッシュ・ロック、ツープッシュ・ロック解除の保持機構で保持されている場合は、ＩＣカード３のロック解除をピンセット１の押圧片１１４を用いることで容易に行うことができる。
【００４６】
また、第２挟持片１２２には、第１挟持片１１２側に突出した鉤部１２３が形成されている。これによって、挟持を行う際に、第２挟持片１２２を回動移動させると、鉤部１１４がＩＣカード３の係合段部３１に係合しつつＩＣカード３をＩＣカード挿入口２３から引き抜く方向に移動させる。そのため、第２支持部材１２の回動操作のみによってＩＣカード３を挟持できるだけでなくＩＣカード３をＩＣカード装着部２２から確実に引き出すことができる。
【００４７】
また、第１挟持片１１２と第２挟持片１２２とは、接近したときのその間の距離がＩＣカード３の肉厚に合わせて設定されるので、ＩＣカード３を挟持した状態を確実に維持できる。
【００４８】
なお、本発明に実施形態における被挟持はＩＣカード３を例としたが、本発明はこれに限定されることなく各種の扁平状の部材に適用できることは勿論である。
【図面の簡単な説明】
【００４９】
【図１】図１は本発明の実施形態に係るピンセットの定常状態を示す斜視図である。
【図２】図２は図１におけるピンセットにおいて第２支持部を回動させた状態を示す斜視図である。
【図３】図３は本発明の実施形態におけるピンセットが適用される携帯電話機の電池収納部およびＩＣカード装着部を有する部分を裏側を上にして上方から見た場合の正面図である。
【図４】図４は本発明の実施形態におけるピンセットが適用されるＩＣカードを示す正面図である。
【図５】図５は本発明の実施形態におけるピンセットを携帯電話機の凹部内に挿入し、ＩＣカードを挟持しようとする状態を、図３と同様に見た場合の正面図である。
【図６】図６は図５のＸ−Ｘ線断面図である。
【図７】図７は本発明の実施形態におけるピンセットでもって携帯電話機の凹部内のＩＣカードを挟持した状態を、図３と同様に見た場合の正面図である。
【図８】図８は図７のＹ−Ｙ線断面図である。
【図９】図９は本発明の実施形態におけるピンセットでもって携帯電話機の凹部内のＩＣカードを挟持した状態を示す斜視図である。
【符号の説明】
【００５０】
１            ピンセット
２            筐体
３            ＩＣカード
１１          第１支持部材
１２          第２支持部材
２１          電池収納部
２２          ＩＣカード装着部
２３          ＩＣカード挿入口
２４          切欠き
３１          係合段部
１１１        第１延在部
１１２        第１挟持片
１１３        分岐延在部
１１４        押圧片
１２１        第２延在部
１２２        第２挟持片
１２３        鉤部
【図１】
2008178949.tif 000003
【図２】
2008178949.tif 000004
【図３】
2008178949.tif 000005
【図４】
2008178949.tif 000006
【図５】
2008178949.tif 000007
【図６】
2008178949.tif 000008
【図７】
2008178949.tif 000009
【図８】
2008178949.tif 000010
【図９】
2008178949.tif 000011